(57)【要約】【課題】カメラ本体から交換レンズを取り外す際に交換レンズに所定の動作を確実に行わせると共に操作性を確保することが可能な光学機器を提供すること【解決手段】光学機器は、交換レンズ１００をカメラ本体２００から取り外す際に押されるロック解除ボタン２０７と、交換レンズをカメラ本体に固定して取り外しを規制すると共に交換レンズとカメラ本体との固定を解除して交換レンズを前記カメラ本体から取り外し可能にするプランジャーロックピン２０９と、ロック解除ボタン２０７が押されたことを検出するロック解除検出スイッチ２０８と、ロック解除検出スイッチがロック解除ボタンが押されたことを検出すると交換レンズに所定の動作を行わせ、交換レンズから所定の動作が終了した旨の信号を受信するとプランジャーロックピン２０９による固定を解除するカメラ制御回路２０２と、を有する。【選択図】図１
2013120283.tif 000002
【特許請求の範囲】
【請求項１】
交換レンズをカメラ本体から取り外す際に操作されるロック解除手段と、
前記交換レンズを前記カメラ本体に固定して取り外しを規制すると共に前記ロック解除手段の操作により前記交換レンズと前記カメラ本体との固定を解除して前記交換レンズを前記カメラ本体から取り外し可能にするロック手段と、
前記ロック解除手段が操作されたことを検出するロック解除検出手段と、
前記ロック解除検出手段による検出に応じて前記交換レンズに所定の動作を行わせ、前記交換レンズから前記所定の動作が終了した旨の信号を受信すると前記ロック手段による固定を解除する制御手段と、
を有することを特徴とする光学機器。
【請求項２】
交換レンズをカメラ本体から取り外す際に操作されるロック解除手段と、
前記交換レンズを前記カメラ本体に固定して取り外しを規制すると共に前記ロック解除手段の操作により前記交換レンズと前記カメラ本体との固定を解除して前記交換レンズを前記カメラ本体から取り外し可能にするロック手段と、
前記ロック解除手段が操作されたことを検出するロック解除検出手段と、
前記ロック解除手段および前記ロック手段に接続され、前記ロック解除手段の操作と前記ロック手段の固定解除状態への移行を所定時間だけ遅らせるロック解除遅延手段と、
前記ロック解除検出手段が前記ロック解除手段が操作されたことを検出すると、前記交換レンズに所定の動作を行わせる制御手段と、を有することを特徴とする光学機器。
【請求項３】
前記所定時間は、前記ロック解除検出手段により前記ロック解除手段の操作を検出してから前記所定の動作が終了するまでの時間以上に設定されていることを特徴とする請求項２に記載の光学機器。
【請求項４】
交換レンズをカメラ本体から取り外す際に操作されるロック解除手段と、
前記交換レンズを前記カメラ本体に固定して取り外しを規制すると共に前記交換レンズと前記カメラ本体との固定を解除して前記交換レンズを前記カメラ本体から取り外し可能にするロック手段と、
前記ロック解除手段が操作されたことを検出するロック解除検出手段と、
前記ロック解除手段に接続され、前記ロック解除手段の操作を遅らせるロック解除遅延手段と、
前記ロック解除検出手段が前記ロック解除手段が操作されたことを検出すると前記交換レンズに所定の動作を行わせ、前記交換レンズから前記所定の動作が終了した旨の信号を受信すると前記ロック手段による固定を解除する制御手段と、
を有することを特徴とする光学機器。
【請求項５】
前記所定の動作は、前記交換レンズの鏡筒を沈胴状態にすることである請求項１乃至４のうちいずれか１項に記載の光学機器。
【請求項６】
前記交換レンズは、物体の光学像を形成する撮像光学系を有し
前記所定の動作は、前記交換レンズの前記撮像光学系の位置を記録することである請求項１乃至４のうちいずれか１項に記載の光学機器。
【請求項７】
前記所定の動作は、前記交換レンズの絞り羽根を所定の位置に移動することである請求項１乃至４のうちいずれか１項に記載の光学機器。
【請求項８】
前記交換レンズは、像ぶれを補正する補正レンズを有し、
前記所定の動作は、前記補正レンズをロックすることである請求項１乃至４のうちいずれか１項に記載の光学機器。
【請求項９】
前記交換レンズは、マニュアルフォーカスの際に回転されるフォーカスリングを有し、
前記所定の動作は、前記フォーカスリングをロックすることである請求項１乃至４のうちいずれか１項に記載の光学機器。
【請求項１０】
前記光学機器は、交換レンズを装着可能なカメラ本体であることを特徴とする請求項１乃至９のいずれか１項に記載の光学機器。
【請求項１１】
前記光学機器は、カメラ本体に装着可能な交換レンズであることを特徴とする請求項１乃至９のいずれか１項に記載の光学機器。
【請求項１２】
前記光学機器は、前記交換レンズと、前記交換レンズが装着可能なカメラ本体と、を有することを特徴とする請求項１乃至９のうちいずれか１項に記載の光学機器。
【発明の詳細な説明】
【技術分野】
【０００１】
本発明は、交換レンズが着脱可能に交換されたカメラ本体を有する光学機器に関する。
【背景技術】
【０００２】
特許文献１は交換レンズとカメラ本体とのロックを解除するボタンが操作されると、カメラ本体から交換レンズに供給される電源電圧を直ちにオフにする構成を提案している。特許文献２はカメラ本体が電源起動状態またはデータ転送中の場合にはロック解除を阻止する構成を提案している。
【先行技術文献】
【特許文献】
【０００３】
【特許文献１】特開平１０−２０６９５３号公報
【特許文献２】特開２００８−８３３７７号公報
【発明の概要】
【発明が解決しようとする課題】
【０００４】
特許文献１では、ロック解除ボタンが押されると直ちに電源がオフとなるため、交換レンズの鏡筒を沈胴状態にすること、防振レンズや操作リングのロック、絞り開口の調整、レンズ位置情報の記録など、各種の制御を行うことができなくなる。一方、特許文献２によれば、ある程度の時間が経過して所定の動作状態以外の状態になった後でユーザは再度ロック解除ボタンを押す必要があり、操作性が損なわれる。
【０００５】
本発明の例示的な目的は、カメラ本体から交換レンズを取り外す際に交換レンズに所定の動作を確実に行わせると共に操作性を確保することが可能な光学機器を提供することである。
【課題を解決するための手段】
【０００６】
本発明の光学機器は、交換レンズをカメラ本体から取り外す際に操作されるロック解除手段と、前記交換レンズを前記カメラ本体に固定して取り外しを規制すると共に前記ロック解除手段の操作により前記交換レンズと前記カメラ本体との固定を解除して前記交換レンズを前記カメラ本体から取り外し可能にするロック手段と、前記ロック解除手段が操作されたことを検出するロック解除検出手段と、前記ロック解除検出手段による検出に応じて前記交換レンズに所定の動作を行わせ、前記交換レンズから前記所定の動作が終了した旨の信号を受信すると前記ロック手段による固定を解除する制御手段と、を有することを特徴とする。
【発明の効果】
【０００７】
本発明によれば、カメラ本体から交換レンズを取り外す際に交換レンズに所定の動作を確実に行わせると共に操作性を確保することが可能な光学機器を提供することができる。
【図面の簡単な説明】
【０００８】
【図１】本発明のカメラシステムのブロック図である。（実施例１）
【図２】図１のカメラシステムの動作を説明するためのフローチャートである。（実施例１）
【図３】本発明のカメラシステムのブロック図である。（実施例２）
【図４】本発明のカメラシステムのブロック図である。（実施例３）
【発明を実施するための形態】
【０００９】
以下に、添付図面を参照して本発明の実施例について説明する。
【実施例１】
【００１０】
図１は、実施例１の撮像システムとしてのカメラシステム（光学機器）のブロック図である。カメラシステムは、交換レンズと、交換レンズが装着可能な撮像装置（光学機器）としてのデジタル一眼カメラ（以下、「カメラ本体」という）を有する。図１において、１００は交換レンズ、２００はカメラ本体である。
【００１１】
１００ａ、２００ａは交換レンズ１００とカメラ本体２００を機械的に結合させるレンズマウントとカメラマウントである。レンズマウント１００ａはレンズマウント凹部１００ｃを有し、このレンズマウント凹部１００ｃにカメラ本体２００からプランジャーロックピン２０９を挿入することで交換レンズ１００のカメラ本体２００からの取り外しを規制している。プランジャーロックピン２０９の挿抜駆動はカメラ制御回路２０２により行われる。１００ｂ、２００ｂは交換レンズ１００とカメラ本体２００の間で電気的な通信を可能とさせるためのレンズ接点とカメラ接点である。
【００１２】
交換レンズ１００は、複数の光学レンズユニットにより構成される撮像光学系１０１を有する。撮像光学系１０１は、フォーカスレンズユニット（以下、単に「フォーカスレンズ」という）１０１ａや像ぶれ補正用の不図示の補正レンズユニット（以下、単に「補正レンズ」という）を有し、物体の光学像を形成する。フォーカスレンズ１０１ａは光軸１２０の方向に移動して焦点調節を行う。補正レンズは、光軸１２０に直交する方向に移動して像ブレを補正する。なお、「直交する方向」は光軸１２０に直交する成分があれば足り、光軸１２０に対して斜めに移動されてもよい。
【００１３】
自動焦点調節（ＡＦ）を行う際には、ＡＦアクチュエータ１０２からの駆動力によってフォーカスレンズ１０１ａを光軸１２０の方向の複数位置に移動させる。そして、各フォーカスレンズ位置における被写体像のコントラスト評価値から合焦位置を判定し、フォーカスレンズ１０１ａを合焦位置に移動させる。
【００１４】
具体的には、カメラ制御回路２０２からの制御信号がカメラ接点２００ｂからレンズ接点１００ｂを介して、交換レンズ制御回路１０５に伝えられる。交換レンズ制御回路１０５は、ＣＰＵなどのマイクロコンピュータから構成され、交換レンズ１００の動作を制御する制御手段である。その後、交換レンズ制御回路１０５から該制御信号に応じた駆動信号がフォーカスレンズ駆動回路１０３に送られる。
【００１５】
フォーカスレンズ駆動回路１０３は、駆動信号とＲＯＭ１０６に記録されたフォーカスレンズ位置情報とに基づいてＡＦアクチュエータ１０２を駆動してフォーカスレンズ１０１ａを移動させる。ＡＦアクチュエータ１０２にはそれに同期して回転する不図示のパルス板が取り付けられている。ＡＦアクチュエータ１０２を駆動すると、パルス板が回転し、パルス板に設けられたスリットの変化をＡＦアクチュエータ駆動検出フォトインタラプタ１０４で検出する。
【００１６】
ＡＦアクチュエータ駆動検出フォトインタラプタ１０４の検出信号は交換レンズ制御回路１０５に伝えられる。そして、ＲＯＭ１０６に記録されたフォーカスレンズ位置情報とＡＦアクチュエータ駆動検出フォトインタラプタ１０４の検出信号とに基づいてフォーカスレンズの位置情報を得る。
【００１７】
フォーカスレンズ位置情報が交換レンズ制御回路１０５からカメラ接点２００ｂを介してカメラ制御回路２０２に伝えられる。カメラ本体２００の撮像素子２０１で被写体像を撮像し、カメラ制御回路２０２で被写体像のコントラスト評価値を演算する。
【００１８】
このようにして複数のフォーカスレンズ位置において被写体像を撮像し、各フォーカスレンズ位置における被写体像のコントラスト評価値を得る。カメラ制御回路２０２では、複数のフォーカスレンズ位置情報と、各フォーカスレンズ位置における被写体像のコントラスト評価値からフォーカスレンズの合焦位置を判定し、合焦位置にフォーカスレンズを移動させる。
【００１９】
マニュアルフォーカス（ＭＦ）を行う際には、交換レンズ１００の外周に設けられた不図示のフォーカスリングを回し、フォーカスレンズ１０１ａを光軸１２０の方向に移動させ、ピントを調整する。
【００２０】
具体的には、フォーカスリングを回すとフォーカスリング内周に設けられた櫛歯を不図示のフォーカスリング駆動検出フォトインタラプタがフォーカスリングの回転方向と回転量を検出する。検出されたフォーカスリングの回転方向と回転量の信号は交換レンズ制御回路１０５に送られ、その後、交換レンズ制御回路１０５から制御信号に応じた駆動信号がフォーカスレンズ駆動回路１０３に送られる。フォーカスレンズ駆動回路１０３は、駆動信号とＲＯＭ１０６に記録されたフォーカスレンズ位置情報とに基づいてＡＦアクチュエータ１０２を駆動し、フォーカスレンズ１０１ａを移動させる。
【００２１】
光量調整は、絞り１０７を駆動させることで行う。絞り１０７は、複数の絞り羽根を有する。カメラ制御回路２０２からの制御信号がカメラ接点２００ｂからレンズ接点１００ｂを介して交換レンズ制御回路１０５に伝わると、交換レンズ制御回路１０５が絞り駆動回路１０８に駆動信号を送る。絞り駆動回路１０８は、該駆動信号を受けると不図示の絞りアクチュエータを作動させ、絞り羽根を駆動する。これにより光通過口となる開口面積（絞り口径）を変化させ光量を調整する。
【００２２】
カメラ本体２００は、撮像素子２０１、カメラ制御回路２０２、レリーズスイッチ２０３、動画撮影ボタン２０４、カメラ操作ボタン２０５、表示装置２０６、ロック解除ボタン２０７、ロック解除検出スイッチ２０８、プランジャーロックピン２０９を有する。
【００２３】
撮像素子２０１は撮像光学系１０１が撮影した光学像を光電変換する。
【００２４】
カメラ制御回路２０２は、ＣＰＵなどのマイクロコンピュータから構成され、カメラ本体２００の動作を制御する制御手段である。また、カメラ制御回路２０２は、ロック解除検出スイッチ２０８がロック解除ボタン２０７が操作されたことを検出すると交換レンズ１００に所定の動作を行わせる。更に、本実施例のカメラ制御回路２０２は、交換レンズ制御回路１０５と通信して所定の動作が終了した旨の信号を受信するとプランジャーロックピン２０９によるカメラ本体２００と交換レンズ１００の固定を電気的に解除する。具体的には、カメラ制御回路２０２は、所定の動作が終了した旨の信号を受信すると不図示のモータによりプランジャーロックピン２０９をカメラ本体２００側に移動させる。そして、プランジャーロックピン２０９によるカメラ本体２００と交換レンズ１００との固定を解除する。
【００２５】
レリーズスイッチ２０３は撮影時のレリーズを行うスイッチである。動画撮影ボタン２０４は動画撮影時に押されるボタンである。カメラ操作ボタン２０５は、カメラの撮影モードの設定や、記録画像ファイルサイズの設定などを行う。表示装置２０６は撮像素子２０１が撮像した画像を表示する。
【００２６】
ロック解除ボタン２０７は交換レンズ１００がカメラ本体２００から取り外される際に操作されるロック解除手段の一例であり、本実施例ではその際に押圧されるボタンである。
【００２７】
ロック解除検出スイッチ２０８はロック解除ボタン２０７の操作を検出する。ロック解除検出スイッチ２０８の構成としては、ロック解除ボタン２０７の操作により電流が流れることでロック解除ボタン２０７の操作を検出するものが考えられる。また、ロック解除ボタン２０７の一部に貫通穴を設け、その一方に発光素子を設け他方に受光素子を設けておき、光が遮られることでロック解除ボタン２０７の操作を検出することが考えられる。また、これに限らず磁気的に検出することも考えられる。ロック解除検出スイッチ２０８の構成としては、ロック解除ボタン２０７の操作を検出することができれば特にこれらの構成に限られない。
【００２８】
プランジャーロックピン２０９は交換レンズ１００をカメラ本体２００に固定して取り外しを規制すると共に交換レンズ１００とカメラ本体２００との固定を解除して交換レンズ１００をカメラ本体２００から取り外し可能にするロック手段である。
【００２９】
次に、図２を参照して、交換レンズ１００をカメラ本体２００から取り外す時のカメラシステムの制御について説明する。ここで、図２は、カメラシステムの制御フロー図であり、「Ｓ」は「ステップ」の略である。図２に示すフローチャートは、コンピュータによって各ステップの機能を実行させるためのプログラムとして具現化可能であり、本実施例では特に断らない限りカメラ制御回路２０２が各ステップを行う。
【００３０】
ロック解除検出スイッチ２０８はロック解除ボタン２０７が押されたことを直ちに検出する。カメラ制御回路２０２は、ロック解除検出スイッチ２０８から検出信号を取得する（Ｓ３０２のＹ）。カメラ制御回路２０２はロック解除検出スイッチ２０８から検出信号を取得するまで待機する（Ｓ３０２のＮ）。
【００３１】
次に、交換レンズ１００が装着されていなければ（Ｓ３０４のＮ）、所定の動作を行えないので、カメラ制御回路２０２は処理を終了する。
【００３２】
一方、交換レンズ１００が装着されていれば（Ｓ３０４のＹ）、カメラ制御回路２０２は制御信号を、カメラ接点２００ｂからレンズ接点１００ｂを介して、交換レンズ制御回路１０５に送信し、交換レンズ制御回路１０５に所定の動作を行わせる。これらの動作は、補正レンズがロックされていなければロックし（Ｓ３０６、Ｓ３０８）、絞り値が所定値以下でなければ最小絞り値にし（Ｓ３１０、Ｓ３１２）、フォーカスリングがロックされていなければロックさせることを含む（Ｓ３１４、Ｓ３１６）。
【００３３】
補正レンズやフォーカスリングをロック（固定）する手段は、それらの移動が規制される限り、機械的手段、電気的手段、磁気的手段など特に限定されない。なお、Ｓ３１２で最小絞り値の位置としているのは一例であり、交換レンズの絞り羽根を所定の位置に移動すれば足りる。
【００３４】
また、所定の動作は、交換レンズ１００の鏡筒を沈胴状態へ駆動すること、あるいは沈胴させずに撮像光学系１０１のレンズ位置を記録することを更に含んでもよい（Ｓ３１８）。ただし、所定の動作は、補正レンズのロックや絞り駆動、フォーカスリングのロック、沈胴動作やレンズ位置の記録を全て含む必要はなく、いずれか１つでもよい。
【００３５】
沈胴状態にする場合は、フォーカスレンズ駆動回路１０３は、駆動信号とＲＯＭ１０６に記録されたフォーカスレンズ位置情報とに基づいてＡＦアクチュエータ１０２を駆動する。そして、交換レンズ１００が沈胴状態となるようにフォーカスレンズ１０１ａを沈胴位置に移動させる。フォーカスレンズ１０１ａの沈胴位置への移動が完了するとフォーカスレンズ駆動回路１０３は交換レンズ制御回路１０５に信号を送る。
【００３６】
また、絞り１０７を閉じる場合には、カメラ制御回路２０２からの制御信号に応答して、交換レンズ制御回路１０５は絞り駆動回路１０８に駆動信号を送る。絞り駆動回路１０８は、駆動信号に応答して不図示の絞りアクチュエータを作動させ、絞り羽根１０７を所定の位置に駆動し、移動が完了すると交換レンズ制御回路１０５にその旨の信号を送る。
【００３７】
これらの所定の動作が終了すると、カメラ制御回路２０２は交換レンズ制御回路１０５からその旨を受信する。交換レンズ制御回路１０５は所定の動作が終了したかどうかの情報をフォーカスレンズ駆動回路１０３、絞り駆動回路１０８、不図示の補正レンズ駆動回路、フォーカスリング検出部等からの信号によって得ることができる。
【００３８】
カメラ制御回路２０２は交換レンズ制御回路１０５からの信号に応答してプランジャーロックピン２０９を抜き状態になるように駆動制御する。プランジャーロックピン２０９がレンズマウント凹部１００ｃから抜け、抜き状態となると交換レンズ１００はカメラ本体２００から取り外し可能となる（Ｓ３２０）。
【００３９】
その後、カメラ制御回路２０２は、一定期間内に交換レンズ１００が装着されたかどうかを判断し（Ｓ３２２）、装着されなければ（Ｓ３２２のＮ）、処理を終了する。一方、一定時間内に交換レンズ１００が装着されると（Ｓ３２２のＹ）、カメラ制御回路２０２は、プランジャーロックピン２０９を介して交換レンズ１００をロックし（Ｓ３２４）する。次いで、カメラ制御回路２０２は、絞り１０７の開口を調節し（Ｓ３２６）、フォーカスリングのロックを解除する（Ｓ３２８）。
【００４０】
実施例１によれば、交換レンズ１００のカメラ本体２００への固定を、プランジャーロックピン２０９を挿入することで行い、プランジャーロックピン２０９の挿抜をカメラ制御回路２０２が制御する。これにより、交換レンズ１００をカメラ本体２００から取り外す前に確実に交換レンズ１００の沈胴および絞り羽根１０７の所定位置への駆動を行うことが可能となる。
【実施例２】
【００４１】
図３は、実施例２のカメラシステムのブロック図である。以下、交換レンズ１００のカメラ本体２００からの取り外し規制について説明する。
【００４２】
ロック解除ボタン２０７には、カメラ本体２００の内部に設けられたダンパー２１１が当接していて両者は一体的に移動する。ロック解除ボタン２０７が押されるとダンパー２１１の作用によりロック解除ボタン２０７がゆっくりと押し込まれる。それに連動してダンパー２１１を介して連結されたロックピン２１０もゆっくりとレンズマウント凹部１００ｃから抜け、交換レンズ１００はカメラ本体２００から取り外し可能となる。即ち、ダンパー２１１は、ロック解除ボタン２０７とロックピン２１０に機械的に接続され、ロック解除ボタン２０７の操作とロックピン２１０の固定解除状態への移行を遅らせるロック解除遅延手段である。
【００４３】
本実施例では、カメラ制御回路２０２は、ロック解除検出スイッチ２０８がロック解除ボタンの押圧を検出すると、交換レンズ１００の交換レンズ制御回路１０５に所定の動作を行わせるが、ロックピン２１０の解除を行わない。ロックピン２１０の解除はロック解除ボタン２０７によって機械的になされるが、それはダンパー２１１によって遅延されている。
【００４４】
ロック解除検出スイッチ２０８はロック解除ボタン２０７が押されたことを直ちに検出し、カメラ制御回路２０２に検出信号を送信する。ここで、ダンパー２１１による遅延時間（所定時間）は、ロック解除ボタン２０７の操作を検出してから交換レンズ１００が所定の動作を終了するまでに必要な時間以上に設定されている。しかし、一般的に、ロックピン２１０の固定が解除されたら直ぐに交換レンズ１００への通電が解除されるわけではない。
【００４５】
そのため、本実施例は、遅延時間（所定時間）を設定するに当たり、使用者が、ロックピン２１０による固定の解除から交換レンズ１００とカメラ本体２００との取り外しへ移行するまでの時間を考慮してもよい。即ち、遅延時間を、ロック解除ボタン２０７の操作を検出してから交換レンズ１００が所定の動作を終了するまでの時間よりも短く設定してもよい。
【００４６】
カメラ制御回路２０２はロック解除検出スイッチ２０８からの信号に応答して制御信号を交換レンズ制御回路１０５に送信する。このときの制御信号は、交換レンズ１００の鏡筒の沈胴状態への移行および絞り羽根１０７の所定位置への駆動を行うためのものである。
【００４７】
本実施例では、ダンパー２１１がロック解除ボタン２０７の押し込み動作を遅延させるので、交換レンズ１００がカメラ本体２００から取り外し可能となるまでに時間的な余裕が生まれる。このため、ロック解除ボタン２０７が押されてからロックピン２１０が固定解除状態になるまでに、カメラ制御回路２０２は、交換レンズ１００の沈胴および絞り羽根１０７の所定位置への駆動が可能となる。
【実施例３】
【００４８】
図４は、実施例３のカメラシステムのブロック図である。以下、交換レンズ１００のカメラ本体２００からの取り外し規制について説明する。本実施例でも、ロック解除ボタン２０７に接続されたダンパー２１１が設けられているが、ダンパー２１１はロックピン２１０とは機械的に接続されていない。ロック解除ボタン２０７が押されるとダンパー２１１の作用によりロック解除ボタン２０７がゆっくりと押し込まれる。カメラ制御回路２０２の動作は実施例１と同様である。
【００４９】
ロック解除検出スイッチ２０８はロック解除ボタン２０７が押されたことを直ちに検出し、カメラ制御回路２０２に検出信号を送信する。カメラ制御回路２０２はロック解除検出スイッチ２０８からの信号に応答して制御信号を交換レンズ制御回路１０５に送信する。この時の制御信号は、交換レンズ１００の筺体の沈胴状態への移行および絞り羽根１０７の所定位置への駆動を行うためのものである。
【００５０】
カメラ制御回路２０２からの制御信号に応答して、交換レンズ１００が沈胴状態となるように交換レンズ制御回路１０５は駆動信号をフォーカスレンズ駆動回路１０３に送信する。フォーカスレンズ駆動回路１０３は、駆動信号とＲＯＭ１０６に記録されたフォーカスレンズ位置情報とに基づいてＡＦアクチュエータ１０２を駆動し、交換レンズ１００が沈胴状態となるようにフォーカスレンズ１０１ａを沈胴位置に移動させる。フォーカスレンズ１０１ａの沈胴位置への移動が完了するとフォーカスレンズ駆動回路１０３は交換レンズ制御回路１０５に信号を送る。
【００５１】
また、カメラ制御回路２０２からの制御信号に応答して、交換レンズ制御回路１０５は絞り駆動回路１０８に駆動信号を送る。絞り駆動回路１０８は、駆動信号に応答して不図示の絞りアクチュエータを作動させ、絞り羽根１０７を所定の位置に駆動し、移動が完了すると交換レンズ制御回路１０５にその旨の信号を送る。
【００５２】
交換レンズ制御回路１０５はフォーカスレンズ駆動回路１０３、絞り駆動回路１０８からの信号を受けてロック解除可能であることをカメラ制御回路２０２に送信する。カメラ制御回路２０２は交換レンズ制御回路１０５からの信号に応答してプランジャーロックピン２０９を抜き状態になるよう駆動する。プランジャーロックピン２０９がレンズマウント凹部１００ｃから抜け、抜き状態となると交換レンズ１００はカメラ本体２００から取り外し可能となる。
【００５３】
実施例３によれば、交換レンズ１００のカメラ本体２００への固定を、プランジャーロックピン２０９を挿入することで行い、プランジャーロックピン２０９の挿抜をカメラ制御回路２０２が制御する。これにより、交換レンズ１００をカメラ本体２００から取り外す前に確実に交換レンズ１００の沈胴および絞り羽根１０７の所定位置への駆動を行うことが可能となる。
【００５４】
ロック解除ボタン２０７はダンパー２１１によりゆっくりと押し込まれるため、ロック解除ボタン２０７が押し込まれる時間と、ロック解除ボタン２０７が押されてからプランジャーロックピン２０９が抜き状態となるまでの時間を略同じにすることができる。この結果、ユーザは違和感なく交換レンズ１００をカメラ本体２００から取り外すことが可能となる。ここで、ロック解除検出スイッチ２０８は、ロック解除ボタン２０７が押し込まれ始めたら速やかにそれを検出する構成であれば、ロック解除ボタン２０７の操作開始からプランジャーロックピン２０９が抜き状態となるまでの時間をより短くすることができる。
【００５５】
以上、本実施形態について説明したが、本発明は本実施形態に限定されず、その要旨の範囲内で種々の変形及び変更が可能である。例えば、交換レンズ１００がカメラ本体２００から取り外される際に行われる制御は上述した実施例のものに限定されない。また、上述のカメラ制御回路２０２または交換レンズ制御回路１０５の動作はコンピュータが実行可能なプログラムとして具現化可能である。
【産業上の利用可能性】
【００５６】
本発明の光学機器はカメラなどの用途に適用することができる。
【符号の説明】
【００５７】
１００…交換レンズ、２００…カメラ本体（光学機器）、２０２…カメラ制御回路（制御手段）、２０７…ロック解除ボタン（ロック解除手段）、２０８…ロック解除検出スイッチ（ロック解除検出手段）、２０９…プランジャーロックピン（ロック手段）
【図１】
2013120283.tif 000003
【図３】
2013120283.tif 000004
【図４】
2013120283.tif 000005
【図２】
2013120283.tif 000006